(57)【要約】【課題】リセプタクルと螺合作業が容易で、リセプタクルからの抜け落ちを防止できる同軸プラグを提供する。【解決手段】円筒部材３の内面に、リセプタクル１０の雄ネジ先端部１０ａと螺合する雌ネジ部９を設ける。また、前記雌ネジ部９と前記円筒部材３の開口部３ｂとの間に、円筒部材の周方向に複数個配置されたリーフスプリング１１を設け、このリーフスプリング１１によって上記リセプタクル１０の雄ネジ部１０ａを挟持する。【選択図】        図１
2004259462.tif 000002
【特許請求の範囲】
【請求項１】
円筒部材の中心にコンタクトピンを配置してなる同軸プラグにおいて、リセプタクルの雄ネジの先端部分と螺合する雌ネジ部を上記円筒部材の内面に設けたことを特徴とする同軸プラグ。
【請求項２】
上記円筒部材の内面で前記雌ネジ部と前記円筒部材の開口部との間に、円筒部材の周方向に複数個配置されたリーフスプリングを設け、このリーフスプリングによって上記リセプタクルの雄ネジ部を挟持することを特徴とする請求項１に記載の同軸プラグ。
【発明の詳細な説明】
【０００１】
【発明の属する技術分野】
本発明は、同軸ケーブルの先端に取り付けられる同軸プラグに関する。
【０００２】
【従来の技術】
この種のプラグとしては、例えば、特開２０００‐２９９１７３号公報に示すように、円筒部材の中心にコンタクトピンを配置してなるものが知られている。この同軸プラグは、いわゆるプッシュオン結合方式によるもので、リセプタクルと結合する際、コンタクトピンをリセプタクルの雄ネジ部の中心孔に挿入し、円筒部材をリセプタクルの雄ネジ部に嵌合させている。
【０００３】
【特許文献１】
特開２０００‐２９９１７３号公報（図１）
【０００４】
【発明が解決しようとする課題】
この同軸プラグは、リセプタクルとの結合が容易であるため、例えば、テレビのアンテナ端子とアンテナコンセントとを接続する同軸ケーブルに取り付けられている。しかし、円筒部材をリセプタクルの雄ネジ部に嵌合させてあるだけなので、同軸ケーブルが引っ張られると、リセプタクルから抜け易いという欠点がある。
本発明は、このような事情に鑑み、リセプタクルからの抜け落ちを防止できる同軸プラグを提供することを目的とする。
【０００５】
【課題を解決するための手段】
上記課題を解決するための本発明は、円筒部材の中心にコンタクトピンを配置してなる同軸プラグにおいて、リセプタクルの雄ネジの先端部分と螺合する雌ネジ部を上記円筒部材の内面に設けたことを特徴とする。このような構造によって、同軸ケーブルは、強く引っ張られても、リセプタクルから抜け落ちなくなる。また、円筒部材の雌ネジ部のネジ山数が少なく、かつ前記雌ネジ部がリセプタクル側の雄ネジ部先端にのみと螺合されるので、螺合作業が容易である。
【０００６】
また、本発明は、上記円筒部材の内面で前記雌ネジ部と前記円筒部材の開口部との間に、円筒部材の周方向に複数個配置されたリーフスプリングを設け、このリーフスプリングによって上記リセプタクルの雄ネジ部を挟持することを特徴とする。このリーフスプリングを用いることによって、リーフスプリングがリセプタクルの雄ネジに対して弾性的に係合するので抜け落ちがなくなる。
【０００７】
【発明の実施の形態】
以下、本発明の実施の形態を添付図面に基づいて詳細に説明する。
図１は本発明の同軸プラグを示している。この同軸プラグ１はいわゆるプッシュオン結合方式によるもので、プラグ本体２と円筒部材３とからなる。また、プラグ本体２は把持部４、圧入内環１４、圧入外環１５および絶縁体５からなる。圧入外環１５を圧入内環１４に圧入することによって、圧入内環１４と圧入外環１５は、きつく結合され、外れなくなる。圧入内環１４と圧入外環１５の結合部には周回溝６が形成され、この周回溝６に円筒部材３のフランジ部３ａを係合せることによって、円筒部材３はプラグ本体２に対して回転自在となる。
【０００８】
絶縁体５にはコンタクトピン７が挿入される。このコンタクトピン７は、その端に心線挿入部１６が設けられる。この心線挿入部１６に同軸ケーブル８の心線１７を挿入することによって、コンタクトピン７と心線１７とが電気的に接続される。一方、円筒部材３は圧入内環１４を介して同軸ケーブル８の外部接地導体（図示せず）と接続される。円筒部材３とプラグ本体２の結合は種々の構成の結合形式があり、既に公知の技術であるので詳細な説明は省略する。
【０００９】
円筒部材３の内面には螺合部としての雌ネジ部９が形成される。この雌ネジ部９は、図３に示すリセプタクル１０の雄ネジ部１０ａの先端部と螺合する位置に配置されるとともに、雄ネジ部１０ａの先端部との間で数回転螺合するようなネジ山数に形成される。円筒部材３の内面には、雌ネジ部９と開口３ｂとの間に、雄ネジ部１０ａを挟持するためのリーフスプリング１１が設けられる。
【００１０】
このリーフスプリング１１は、図２に示すようにリセプタクル１０の雄ネジ部１０ａを挟持すべく円筒部材３の周方向に等間隔で複数個配置される。また、円筒部材３の外面には、円筒部材３の回転を容易にするために、セレーション１３が形成される。
【００１１】
この同軸プラグ１は、例えば図３に示すようなアンテナコンセントＡのリセプタクル１０に結合される。結合にあたっては、円筒部材３の先端開口３ｂをリセプタクル１０の雄ネジ部１０ａの先端に係合させて、円筒部材３をリセプタクル１０側に押し込む。
【００１２】
この押し込みによって、コンタクトピン７が雄ネジ部１０ａの中心孔１０ｂに挿入されるとともに、雄ネジ部１０ａはリーフスプリング１１を弾性変形させながら円筒部材３内に進入する。雄ネジ部１０ａの先端が円筒部材３側の雌ネジ部９に接触した段階で、円筒部材３を回転させて雌ネジ部９をリセプタクル１０の雄ネジ部１０ａに螺合させる。
【００１３】
このように円筒部材３の雌ネジ部９がリセプタクル１０の雄ネジ部１０ａに螺合した状態で、同軸プラグ１とリセプタクル１０とが結合されるので、同軸ケーブル８が外力で引っ張られても、同軸プラグ１がリセプタクル１０から抜けることはない。さらに、円筒部材３の雌ネジ部９をリセプタクル１０側の雄ネジ部１０ａの先端部にのみ螺合させてあるので、円筒部材３を２〜３回回転させるだけで円筒部材３の雌ネジ部９とリセプタクル１０の雄ネジ部１０ａとの結合が可能である。
【００１４】
また、リーフスプリング１１がリセプタクル１０の雄ネジ部１０ａを挟持する構造になっているので、雌ネジ部９の螺合を忘れてしまっても、従来のものと同等の結合強度を維持できるとともに、円筒部材３にスリットを形成して弾性を生じさせる必要がないので、電磁シールド性が悪化することもない。
【００１５】
また、本発明は、上述のように同軸ケーブル８の直線方向に沿った同軸プラグ１に適用が限定されるものではなく、例えば、図４に示すような分配器器等２０にも適用できることは言うまでもない。分配器器等２０に示される円筒部材３の部分の構造は図１の円筒部材３の構造と同様に雌ネジ部９を有する。図４に示される分配器等２０においては、円筒部材３から入力される信号は分配器等の他の面に設けられた２つのリセプタクル１８に分配され、他の装置に供給されるように構成される。
【００１６】
【発明の効果】
本発明によれば、円筒部材の雌ネジ部がリセプタクルの雄ネジ部に螺合した状態で結合されるので、同軸ケーブルが外力で引っ張られても、同軸ケーブルはリセプタクルから抜け落ちなくなる。一方、円筒部材の雌ネジ部がリセプタクル側のネジ部先端にのみ結合されるので、結合作業が容易になる。
【図面の簡単な説明】
【図１】本発明の一実施の形態の同軸プラグを示す部分断面図である。
【図２】本発明の同軸プラグの円筒部材の一部を示す断面斜視図である。
【図３】本発明の同軸プラグをリセプタクルに結合する前の状態を示す図である。
【図４】本発明を分配器等に応用した例を示す斜視図である。
【符号の説明】
１…同軸プラグ
２…プラグ本体
３…円筒部材
３ａ…フランジ部
４…把持部
５…絶縁体
６…周回溝
７…コンタクトピン
８…同軸ケーブル
９…雌ネジ部
１０…リセプタクル
１０ａ…雄ネジ部
１１…リーフスプリング
１２…凸部
１３…セレーション
１４…圧入内環
１５…圧入外環
１６…心線挿入部
１７…心線
１８…リセプタクル
【図１】
2004259462.tif 000003
【図２】
2004259462.tif 000004
【図３】
2004259462.tif 000005
【図４】
2004259462.tif 000006